(57)【要約】【課題】アウターケーシングを端末部材に容易に固定する取付構造及びコントロールケーブルを提供する。【解決手段】この取付構造は、長尺部材の端部に端末部材が取り付けられた取付構造であって、前記端末部材は、基部と、前記長尺部材の先端が当接可能な当接部と、前記基部と接続し、前記長尺部材の長手方向に沿って分割された複数の片からなり、前記複数の片により前記当接部に当接された前記長尺部材を挟持可能な挟持部と、を有し、前記端末部材は、外周に、前記長尺部材の長手方向に移動して固定位置に移動可能な固定部材を備え、前記端末部材が挿通される挿通部材に、前記長尺部材の押圧によって前記端末部材が挿通される際に、前記固定部材が前記固定位置に移動して前記挟持部を固定することによって、前記端末部材が前記長尺部材に取付けられる構成を採る。【選択図】図１
2016084900.tif 000002
【特許請求の範囲】
【請求項１】
長尺部材の端部に端末部材が取り付けられた取付構造であって、
前記端末部材は、
基部と、
前記長尺部材の先端が当接可能な当接部と、
前記基部と接続し、前記長尺部材の長手方向に沿って分割された複数の片からなり、前記複数の片により前記当接部に当接された前記長尺部材を挟持可能な挟持部と、
を有し、
前記端末部材は、外周に、前記長尺部材の長手方向に移動して固定位置に移動可能な固定部材を備え、
前記端末部材が挿通される挿通部材に、前記長尺部材の押圧によって前記端末部材が挿通される際に、前記固定部材が前記固定位置に移動して前記挟持部を固定することによって、前記端末部材が前記長尺部材に取付けられる、
取付構造。
【請求項２】
前記当接部は、前記長尺部材の先端が嵌合可能な嵌合部である、
請求項１に記載の取付構造。
【請求項３】
前記固定部材は、リング状である、
請求項１または請求項２に記載の取付構造。
【請求項４】
前記固定部材は、一部が前記基部の外周に接続し、接続が切断されて前記固定位置へ移動可能となる、
請求項１から請求項３のいずれか一項に記載の取付構造。
【請求項５】
前記固定部材が前記挟持部を固定する固定位置は、前記端末部材の後部に位置する、
請求項１から請求項４のいずれか一項に記載の取付構造。
【請求項６】
請求項１から請求項５のいずれか一項に記載の取付構造を有するコントロールケーブルであって、
インナーケーブルと、
前記インナーケーブルを収容するアウターケーシングと、
前記アウターケーシングを前記長尺部材として、前記取付構造により前記アウターケーシングの端部に取り付けられる前記端末部材と、
を有するコントロールケーブル。
【発明の詳細な説明】
【技術分野】
【０００１】
本発明は、長尺部材に端末部材が取り付けられた取付構造及びこの取付構造を有するコントロールケーブルに関する。
【背景技術】
【０００２】
長尺部材に端末部材が取り付けられた取付構造として、アウターケーシングの先端に端末部材が取り付けられた構造がある。このような端末部材としては、例えば、特許文献１に開示された技術が知られている。
【０００３】
特許文献１に開示の端末部材は、筒状部材を軸方向に２分割するように第１部材と第２部材とを形成し、軸方向と平行な軸を中心に第１部材に対して第２部材が開閉可能とし、第１部材と第２部材との間にアウターケーシングの端部を配置して、アウターケーシングの端部を第１部材と第２部材とによって狭持するものである。
【先行技術文献】
【特許文献】
【０００４】
【特許文献１】特開２０１３−２３１４７４号公報
【発明の概要】
【発明が解決しようとする課題】
【０００５】
しかしながら、上記特許文献１に開示の端末部材では、例えば、アウターケーシングの端部を端末部材に両手で導入する際に、それぞれの支持を両手で行わなければならず、第一部材と第二部材とでアウターケーシングを狭持する際には、一方の手を外して操作しなければならないため、長尺部材であるアウターケーシングから端末部材が外れるおそれがある。このため、アウターケーシングに端末部材がしっかり固定されるには、アウターケーシングか端末部材を固定する作業が必要となってしまう。
【０００６】
本発明の目的は、アウターケーシングに端末部材を容易に固定できる取付構造及びコントロールケーブルを提供することである。
【課題を解決するための手段】
【０００７】
本発明の一態様に係る取付構造は、長尺部材の端部に端末部材が取り付けられた取付構造であって、前記端末部材は、基部と、前記長尺部材の先端が当接可能な当接部と、前記基部と接続し、前記長尺部材の長手方向に沿って分割された複数の片からなり、前記複数の片により前記当接部に当接された前記長尺部材を挟持可能な挟持部と、を有し、前記端末部材は、外周に、前記長尺部材の長手方向に移動して固定位置に移動可能な固定部材を備え、前記端末部材が挿通される挿通部材に、前記長尺部材の押圧によって前記端末部材が挿通される際に、前記固定部材が前記固定位置に移動して前記挟持部を固定することによって、前記端末部材が前記長尺部材に取付けられる構成を採る。
【発明の効果】
【０００８】
本発明によれば、長尺部材を押圧して端末部材を挿通部材に挿通するという動作によって、長尺部材の先端を当接部に当接した状態で狭持部が長尺部材を狭持し、さらに、長尺部材を狭持した狭持部を固定部材によって固定するため、長尺部材を端末部材に容易に固定することができる。
【図面の簡単な説明】
【０００９】
【図１】本発明の実施の形態１に係る端末部材を示す斜視図
【図２】図１の端末部材の一部の断面図
【図３】図１の端末部材を矢印の方向から見た矢視図
【図４】（ａ）図１の端末部材を挿通部材に挿通させた様子を示す図、（ｂ）図１の端末部材を挿通部材から取り外した様子を示す図
【発明を実施するための形態】
【００１０】
以下、本発明の実施の形態について、図面を参照して詳細に説明する。
【００１１】
（実施の形態１）
図１は、本発明の実施の形態１に係る端末部材１を示す斜視図である。図２は、図１の端末部材１の一部の断面図である。図３は、図１の端末部材１を矢印の方向から見た矢視図である。以下、図１から図３を参照して端末部材１の構成について説明する。以下の説明では、アウターケーシングの先端が配置される側を端末部材の前方、その反対側を端末部材の後方と定義する。
【００１２】
端末部材１は、基部１０、当接部１１、狭持部１２、及び、固定部材１３を備える。端末部材１は、アウターケーシング（長尺部材に相当）２の先端に取り付けられ、且つ、車体などの対象物に取り付けられる。アウターケーシング２（図４参照）は、インナーケーブル３（図４参照）を収容する。端末部材１、アウターケーシング２、インナーケーブル３を含めてコントロールケーブルという。
【００１３】
基部１０は、狭持部１２を保持している。また、基部１０には、外周に固定部材１３が移動可能に保持されている。さらに、基部１０には、中心部にインナーケーブル３が挿通する挿通孔２１が設けられている。基部１０は、挟持部１２が接続する接続部１６を有し、接続部１６に対して挟持部１２が接続する側と反対側、つまり基部１０の先端側には先端部１４を有している。先端部１４は、円錐台状であり、先端側に向かって縮径するテーパー面を側面に有している。また、基部１０は、アウターケーシング２の先端に取付けられた場合に、ブラケットのＵ字状溝に取付けられるなどの公知のアウターキャップの機能を発揮するように、先端部１４と円柱状の接続部１６との間に固定溝１５を有している。
【００１４】
当接部１１は、基部１０の後端である、接続部１６に対して挟持部１２が接続する側の端部に形成されており、アウターケーシング２の先端が当接する部位である。当接部１１は、接続部１６の後端部に凹状に形成され、アウターケーシング２の先端が収容される。当接部１１は、アウターケーシング２の先端面が当接するように設けられ、アウターケーシング２に対して長手方向先端側に向かって力が作用した場合には、アウターケーシング２の先端面と面接触する当接面が形成されるなど、アウターケーシング２の長手方向の力を受けるように形成されている。当接部１１には、中心部にインナーケーブル３が挿通される挿通孔が設けられており、基部１０の挿通孔２１と連通している。なお、当接部１１は、アウターケーシング２の長手方向の成分を有する力を受けられればよく、アウターケーシング２の長手方向に対して傾斜していてもよい。また、当接部１１は、アウターケーシング２の先端が嵌合可能な嵌合部であってもよい。
【００１５】
狭持部１２は、アウターケーシング２の長手方向に沿って分割された複数の片である挟持片１２１、１２２（図１では２つの片）からなり、複数の挟持片１２１、１２２のそれぞれは一端が、アウターケーシング２の先端が当接可能に、基部１０に接続している。この挟持部１２は、少なくとも１つの片は接続部位を中心に揺動可能となっており、アウターケーシング２の配置を容易とするために、挟持部１２の後端が拡径した状態とすることができる。図１において、挟持片１２１、１２２は、端末部材１の軸方向に長さを有し、端末部材１の軸方向対して垂直な断面において半円状となっており、挟持片１２１、１２２を合わせることで、挟持片１２１、１２２の間に間隙を有した略円筒体となるように形成されている。挟持片１２１、１２２は、閉じた状態としてアウターケーシング２を挟持した際に基部１０と同軸となるアウターケーシング２の外径に対応した形状を形成するように、基部１０に接続している。狭持部１２は、当接部１１に当接されたアウターケーシング２の外周を複数の挟持片１２１、１２２が覆うように狭持する。狭持部１２は、アウターケーシング２を狭持した際、挟持片同士が干渉しないように狭持片１２１と狭持片１２２との間に隙間３２（図４参照）ができるようになっている。これにより、太さの異なるアウターケーシング２を強固に固定することができる。また、挟持部１２は、アウターケーシング２を挟持した際に、アウターケーシング２に挿通されるインナーケーブル３が当接部１１の前記挿通孔に挿通され、基部１０の挿通孔２１を通って基部１０の先端よりインナーケーブル３が延出するように設けられている。
【００１６】
狭持部１２の外側は、後述の固定部材１３が摺動または回転することができる平滑な面を有し、アウターケーシング２を挟持した際に固定部材１３よりも外径が小さくなるように設けられている。また、挟持部１２の外側の後端側には、固定部材１３が位置して狭持部１２を固定する固定位置Ｐ１が設けられている。狭持部１２の外側の後端側には、外径が他の部位より大きい凸部２２が設けられている。凸部２２は、先端側凸部２２１と後端側凸部２２２の２つの凸部を有し、先端側凸部２２１と後端側凸部２２２との間には固定部材１３を保持できる間隔が設けられている。先端側凸部２２１と後端側凸部２２２とに挟まれた位置が固定位置Ｐ１である。先端側凸部２２１は、固定部材１３が乗り越えることが可能な、端末部材１の軸方向に傾斜する傾斜面を有している。
【００１７】
狭持部１２の内側には、端末部材１の軸方向に所定の間隔を設けて、端末部材１の周回り方向に連続した突起部２３が複数設けられている。突起部２３は、アウターケーシング２を狭持した際に、複数の突起部２３がアウターケーシング２の軸方向に当接して、係合（摩擦を含む）することにより、アウターケーシング２を強固に狭持することができる。
【００１８】
固定部材１３は、樹脂等からなるリング状の部材であり、基部１０の外周に保持部２４によって移動可能に保持されている。固定部材１３は、基部１０及び保持部２４と一体成形することができ、例えば、基部１０と固定部材１３との分離が可能なように、基部１０の周方向の４か所において基部１０と固定部材１３とがスポットで保持部２４により接続していてもよい。固定部材１３は、基部１０に仮固定され、所定の荷重が加えられると、容易に保持部２４から外れ、狭持部１２の外周を摺動または回転して、端末部材１の後端方向へ移動する。固定部材１３が更に端末部材１の後端方向に移動することにより、挟持部１２がアウターケーシング２に向かって挟むように移動し、挟持部１２上を摺動または回転した固定部材１３は狭持部１２の先端側凸部２２１を乗り越えて固定位置Ｐ１に移動する。固定部材１３は、端末部材１の後部の固定位置Ｐ１に位置することによって、複数の片からなる狭持部１２がアウターケーシング２を狭持した状態を維持することができる。これにより、アウターケーシング２が端末部材１から外れることを防止できる。
【００１９】
次に、上述した端末部材１をアウターケーシング２に取り付ける手順について、図４を参照しながら説明する。図４（ａ）は、端末部材１を挿通部材３１に挿通させた様子を示し、図４（ｂ）は、端末部材１を挿通部材３１から取り外した様子を示している。挿通部材３１は、端末部材１、アウターケーシング２、およびインナーケーブル３とは別部材であり、所定場所に設置され、端末部材１を挿通可能な挿通孔を有している。
【００２０】
まず、インナーケーブル３が当接部１１及び基部１０の挿通孔に挿通した状態で狭持片１２１、１２２の間にアウターケーシング２が配置される。続いて、アウターケーシング２の先端が端末部材１の当接部１１に当接した状態で挟持片１２１、１２２によりアウターケーシング２を挟持して、アウターケーシング２の先端に端末部材１を位置させる。アウターケーシング２の先端に端末部材１が配された状態で、アウターケーシング２を押圧しながら、図４（ａ）の矢印が示すように、端末部材１を前方から挿通部材３１に挿通させる。挿通部材３１の挿通孔は、その内径が先端部１４および接続部１６の外径とほぼ同じかわずかに大きい程度とする。
【００２１】
このとき、先端部１４および接続部１６の最大外径が固定部材１３の外径よりも小さいために、基部１０の外周に移動可能に保持された固定部材１３は、挿通部材３１の挿通孔を通ることができず、挿通部材３１の外壁によって荷重が加わる。これにより、固定部材１３が保持部２４から外れて、基部１０への仮固定が解消され、端末部材１の挿通に伴って、固定部材１３は固定位置Ｐ１まで移動して、挿通部材１３の挿通孔と先端側凸部２２１の先端側テーパー面とが当接して端末部材１の押し込みが停止する。このとき、挟持片１２１、１２２の内周側の突起部２３により、アウターケーシング２を挟持する挟持部１２の外径が固定部材１３の内径よりも大きい場合でも、固定部材１３は固定位置Ｐ１まで移動する際に、固定部材１３が挟持部１２を内側に押圧するために、突起部２３がアウターケーシング２に食い込んで、アウターケーシング２への端末部材１の固定がより強固になる。
【００２２】
端末部材１をアウターケーシング２に固定したら、端末部材１は挿通部材３１から取り外される（図４（ｂ）参照）。なお、挿通部材３１が端末部材１を取り付ける取付対象物である場合には、そのまま挿通部材３１にコントロールケーブルを取り付けることとなる。また、挿通部材３１を用いずに固定部材１３を固定位置Ｐ１に位置させることも当然に可能である。
【００２３】
このように、本実施の形態によれば、端末部材１の当接部１１に当接したアウターケーシング２を押圧しながら端末部材１を挿通部材３１に挿通させるという一連の動作によって、アウターケーシング２を狭持部１２が狭持することができる。このため、簡単な操作により端末部材１をアウターケーシング２に固定することができる。よって、短い作業時間でアウターケーシング２を端末部材１に確実に固定することができる。
【００２４】
なお、本実施の形態では、当接部は基部の後端に形成されるとして説明したが、本発明はこれに限らず、当接部は基部と別体で形成され、基部の後端に接続されてもよい。
【００２５】
また、本実施の形態では、狭持部は２つの片に分割した場合について示したが、本発明はこれに限らず、３つ以上の片に分割してもよい。
【００２６】
また、本実施の形態では、固定部材をリング状として説明したが、本発明はこれに限らず、例えば、固定部材はＣ字状、コ字状でもよい。また、固定部材を樹脂等として説明したが、本発明はこれに限らず、例えば、金属でもよい。また、固定部材の基部への仮固定についても、保持部による接続に限らず、基部の径方向外側に凸となる凸部との嵌合または遊嵌であってもよい。
【００２７】
また、本実施の形態では、挿通部材は貫通した孔が形成された場合について示したが、本発明はこれに限らず、挿通部材は孔が貫通していないＵ字状スリットでもよい。
【００２８】
また、本実施の形態では、長尺部材の一例としてアウターケーシングを例に説明したが、本発明はこれに限らず、ロッド等の棒状部材でもよい。
【００２９】
また、本実施の形態では、端末部材の先端に基部が位置する構成について示したが、本発明はこれに限らず、端末部材の先端にフック、カバー等が設けられていてもよい。
【産業上の利用可能性】
【００３０】
本発明は、長尺部材を端末部材に確実に固定するのに有用である。
【符号の説明】
【００３１】
１  端末部材
２  アウターケーシング
３  インナーケーブル
１０  基部
１１  当接部
１２  狭持部
１２１、１２２  挟持片
１３  固定部材
２１  挿通孔
２２  凸部
２２１  先端側凸部
２２２  後端側凸部
２３  突起部
２４  保持部
３１  挿通部材
３２  隙間
Ｐ１  固定位置
【図１】
2016084900.tif 000003
【図２】
2016084900.tif 000004
【図３】
2016084900.tif 000005
【図４】
2016084900.tif 000006